(57)【要約】      （修正有）【課題】検証が容易に行える画像生成方法及び画像検証方法を提供する。【解決手段】主画像及び可視セキュリティ画像を取得する取得ステップと、前記主画像を、第１のＫ色層及び第２のＫ色層に色分解する色分解ステップと、前記各色層に対しディザ処理を行うディザステップと、前記第１のＫ色層に対して、前記可視セキュリティ画像に対応する情報に位相変調量ｙ１の位相変調処理を施す第１の位相変調ステップと、前記第２のＫ色層に対して、前記可視セキュリティ画像に対応する情報に、前記ｙ１とは異なる位相変調量ｙ２の位相変調処理を施す第２の位相変調ステップと、前記第１のＫ色層を第１の層媒体に印刷する第１の印刷ステップと、前記第２のＫ色層を第２の層媒体に印刷する第２の印刷ステップと、前記第１の層媒体と前記第２の層媒体とを重ね合わせる重畳ステップと、を有する。【選択図】図２
2016221825.tif 000002
【特許請求の範囲】
【請求項１】
主画像と、可視セキュリティ画像と、を取得する取得ステップと、
前記主画像を、黒色である第１のＫ色層と、黒色である第２のＫ色層と、に色分解する
色分解ステップと、
前記色分解処理が施された各色層に対しディザ処理を行うディザステップと、
前記ディザ処理が施された第１のＫ色層に対して、前記可視セキュリティ画像に対応す
る情報に位相変調量ｙ１の位相変調処理を施す第１の位相変調ステップと、
前記ディザ処理が施された第２のＫ色層に対して、前記可視セキュリティ画像に対応す
る情報に、前記ｙ１とは異なる位相変調量ｙ２の位相変調処理を施す第２の位相変調ステ
ップと、
前記第１の位相変調処理が施された第１のＫ色層を、第１の層媒体に印刷する第１の印
刷ステップと、
前記第２の位相変調処理が施された第２のＫ色層を、第２の層媒体に印刷する第２の印
刷ステップと、
前記第１の印刷処理が施された第１の層媒体と、前記第２の印刷処理が施された第２の
層媒体と、を重ね合わせる重畳ステップと、
を有する画像生成方法。
【請求項２】
主画像と、可視セキュリティ画像と、を取得する取得ステップと、
前記主画像を、黒色である第１のＫ色層と、黒色である第２のＫ色層と、シアン、マゼ
ンタ、及びイエローを含むＣＭＹ色層と、に色分解する色分解ステップと、
前記色分解処理が施された各色層に対しディザ処理を行うディザステップと、
前記ディザ処理が施された第１のＫ色層に対して、前記可視セキュリティ画像に対応す
る情報に位相変調量ｙ１の位相変調処理を施す第１の位相変調ステップと、
前記ディザ処理が施された第２のＫ色層に対して、前記可視セキュリティ画像に対応す
る情報に、前記ｙ１とは異なる位相変調量ｙ２の位相変調処理を施す第２の位相変調ステ
ップと、
前記第１の位相変調処理が施された第１のＫ色層を、第１の層媒体に印刷する第１の印
刷ステップと、
前記ディザ処理が施されたＣＭＹ色層及び前記第２の位相変調処理が施された第２のＫ
色層を、第２の層媒体に印刷する第２の印刷ステップと、
前記第１の印刷処理が施された第１の層媒体と、前記第２の印刷処理が施された第２の
層媒体と、を重ね合わせる重畳ステップと、
を有する画像生成方法。
【請求項３】
前記重畳ステップは、前記第１の印刷処理が施された第１の層媒体の上に、前記第２の
印刷処理が施された第２の層媒体を重ね合わせるステップである、
請求項２に記載の画像生成方法。
【請求項４】
主画像と、不可視セキュリティ画像と、を取得する取得ステップと、
前記主画像を、黒色である第１のＫ色層と、黒色である第２のＫ色層と、に色分解する
色分解ステップと、
前記色分解処理が施された各色層に対しディザ処理を行うディザステップと、
前記ディザ処理が施された第１のＫ色層に対して、前記不可視セキュリティ画像に対応
する情報に位相変調量ｙ１の位相変調処理を施す第３の位相変調ステップと、
前記ディザ処理が施された第２のＫ色層に対して、前記不可視セキュリティ画像に対応
する情報に、前記ｙ１と同じ位相変調量ｙ１の位相変調処理を施す第４の位相変調ステッ
プと、
前記第３の位相変調処理が施された第１のＫ色層を、第１の層媒体に印刷する第３の印
刷ステップと、
前記第４の位相変調処理が施された第２のＫ色層を、第２の層媒体に印刷する第４の印
刷ステップと、
前記第３の印刷処理が施された第１の層媒体と、前記第４の印刷処理が施された第２の
層媒体と、を重ね合わせる重畳ステップと、
を有する画像生成方法。
【請求項５】
主画像と、不可視セキュリティ画像と、を取得する取得ステップと、
前記主画像を、黒色である第１のＫ色層と、黒色である第２のＫ色層と、シアン、マゼ
ンタ、及びイエローを含むＣＭＹ色層と、に色分解する色分解ステップと、
前記色分解処理が施された各色層に対しディザ処理を行うディザステップと、
前記ディザ処理が施された第１のＫ色層に対して、前記不可視セキュリティ画像に対応
する情報に、位相変調量ｙ１の位相変調処理を施す第３の位相変調ステップと、
前記ディザ処理が施された第２のＫ色層に対して、前記不可視セキュリティ画像に対応
する情報に、前記ｙ１と同じ位相変調量ｙ１の位相変調処理を施す第４の位相変調ステッ
プと、
前記第３の位相変調処理が施された第１のＫ色層を、第１の層媒体に印刷する第３の印
刷ステップと、
前記ディザ処理が施されたＣＭＹ色層及び前記第４の位相変調処理が施された第２のＫ
色層を、第２の層媒体に印刷する第４の印刷ステップと、
前記第３の印刷処理が施された第１の層媒体と、前記第４の印刷処理が施された第２の
層媒体と、を重ね合わせる重畳ステップと、
を有する画像生成方法。
【請求項６】
前記重畳ステップは、前記第３の印刷処理が施された第１の層媒体の上に、前記第４の
印刷処理が施された第２の層媒体を重ね合わせるステップである、
請求項５に記載の画像生成方法。
【請求項７】
主画像と、可視セキュリティ画像と、不可視セキュリティ画像と、を取得する取得ステ
ップと、
前記主画像を、黒色である第１のＫ色層と、黒色である第２のＫ色層と、に色分解する
色分解ステップと、
前記色分解処理が施された各色層に対しディザ処理を行うディザステップと、
前記ディザ処理が施された第１のＫ色層に対して、前記可視セキュリティ画像に対応す
る情報に位相変調量ｙ１の位相変調処理を施す第１の位相変調ステップと、
前記ディザ処理が施された第２のＫ色層に対して、前記可視セキュリティ画像に対応す
る情報に、前記ｙ１とは異なる位相変調量ｙ２の位相変調処理を施す第２の位相変調ステ
ップと、
前記ディザ処理が施された第１のＫ色層に対して、前記不可視セキュリティ画像に対応
する情報に、前記ｙ１と同じ位相変調量ｙ１の位相変調処理を施す第３の位相変調ステッ
プと、
前記ディザ処理が施された第２のＫ色層に対して、前記不可視セキュリティ画像に対応
する情報に、前記ｙ１と同じ位相変調量ｙ１の位相変調処理を施す第４の位相変調ステッ
プと、
前記第１及び第３の位相変調ステップを施した第１のＫ色層を、第１の層媒体に印刷す
る第５の印刷ステップと、
前記第２及び第４の位相変調ステップを施した第２のＫ色層を、第２の層媒体に印刷す
る第６の印刷ステップと、
前記第５の印刷処理が施された第１の層媒体と、前記第６の印刷処理が施された第２の
層媒体と、を重ね合わせる重畳ステップと、
を有する画像生成方法。
【請求項８】
主画像と、可視セキュリティ画像と、不可視セキュリティ画像と、を取得する取得ステ
ップと、
前記主画像を、黒色である第１のＫ色層と、黒色である第２のＫ色層と、シアン、マゼ
ンタ、及びイエローを含むＣＭＹ色層と、に色分解する色分解ステップと、
前記色分解処理が施された各色層に対しディザ処理を行うディザステップと、
前記ディザ処理が施された第１のＫ色層に対して、前記可視セキュリティ画像に対応す
る情報に位相変調量ｙ１の位相変調処理を施す第１の位相変調ステップと、
前記ディザ処理が施された第２のＫ色層に対して、前記可視セキュリティ画像に対応す
る情報に、前記ｙ１とは異なる位相変調量ｙ２の位相変調処理を施す第２の位相変調ステ
ップと、
前記ディザ処理が施された第１のＫ色層に対して、前記不可視セキュリティ画像に対応
する情報に、前記ｙ１と同じ位相変調量ｙ１の位相変調処理を施す第３の位相変調ステッ
プと、
前記ディザ処理が施された第２のＫ色層に対して、前記不可視セキュリティ画像に対応
する情報に、前記ｙ１と同じ位相変調量ｙ１の位相変調処理を施す第４の位相変調ステッ
プと、
前記第１及び第３の位相変調ステップを施した第１のＫ色層を、第１の層媒体に印刷す
る第５の印刷ステップと、
前記ディザ処理が施されたＣＭＹ色層及び前記第２及び第４の位相変調ステップを施し
た第２のＫ色層を、第２の層媒体に印刷する第６の印刷ステップと、
前記第５の印刷処理が施された第１の層媒体と、前記第６の印刷処理が施された第２の
層媒体と、を重ね合わせる重畳ステップと、
を有する画像生成方法。
【請求項９】
前記重畳ステップは、前記第５の印刷処理が施された第１の層媒体の上に、前記第６の
印刷処理が施された第２の層媒体を重ね合わせるステップである、
請求項８に記載の画像生成方法。
【請求項１０】
前記第１の印刷ステップは、レーザエングレービング記録方式により、
前記第２の印刷ステップは、インクジェット記録方式による、
前記請求項１乃至請求項３のいずれか１項に記載の画像生成方法。
【請求項１１】
前記第３の印刷ステップは、レーザエングレービング記録方式により、
前記第４の印刷ステップは、インクジェット記録方式による、
前記請求項４乃至請求項６のいずれか１項に記載の画像生成方法。
【請求項１２】
前記第５の印刷ステップは、レーザエングレービング記録方式により、
前記第６の印刷ステップは、インクジェット記録方式による、
前記請求項７乃至請求項９のいずれか１項に記載の画像生成方法。
【請求項１３】
生成画像を取得する生成画像取得ステップと、
ディザ処理が施された第１のＫ色層の画像を取得する第１のＫ色層画像取得ステップと
、
前記生成画像と、前記ディザ処理が施された第１のＫ色層の画像と、を電子的に重ね合
わせる電子重畳ステップと、
を有する画像検証方法。 
【発明の詳細な説明】
【技術分野】
【０００１】
本発明の実施形態は、画像生成方法及び画像検証方法に関する。
【背景技術】
【０００２】
近年、情報の電子化やインターネットの普及に伴い、画像の偽造・変造防止のための技
術が重要視されるようになってきた。また、印刷方式として、インクジェット記録方式と
レーザエングレービング記録方式によるハイブリッド方式が注目されるようになってきた
。
【０００３】
ハイブリッド方式に適用可能な偽造・変造防止のための技術として、主たる画像に別の
付加的画像を重畳して記録する画像生成方法が知られている。しかしながら、従来技術の
画像生成方法により生成された画像は、検証が困難であった。
【先行技術文献】
【特許文献】
【０００４】
【特許文献１】特開平９−２４８９３５号公報
【発明の概要】
【発明が解決しようとする課題】
【０００５】
そこで、本発明が解決しようとする課題は、検証が容易に行える画像生成方法及び画像
検証方法を提供することである。
【課題を解決するための手段】
【０００６】
上記課題を解決するために、実施形態の画像生成方法は、主画像と、可視セキュリティ
画像と、を取得する取得ステップと、前記主画像を、黒色である第１のＫ色層と、黒色で
ある第２のＫ色層と、に色分解する色分解ステップと、前記色分解処理が施された各色層
に対しディザ処理を行うディザステップと、前記ディザ処理が施された第１のＫ色層に対
して、前記可視セキュリティ画像に対応する情報に位相変調量ｙ１の位相変調処理を施す
第１の位相変調ステップと、前記ディザ処理が施された第２のＫ色層に対して、前記可視
セキュリティ画像に対応する情報に、前記ｙ１とは異なる位相変調量ｙ２の位相変調処理
を施す第２の位相変調ステップと、前記第１の位相変調処理が施された第１のＫ色層を、
第１の層媒体に印刷する第１の印刷ステップと、前記第２の位相変調処理が施された第２
のＫ色層を、第２の層媒体に印刷する第２の印刷ステップと、前記第１の印刷処理が施さ
れた第１の層媒体と、前記第２の印刷処理が施された第２の層媒体と、を重ね合わせる重
畳ステップと、を有する。
【０００７】
また、実施形態の画像検証方法は、生成画像を取得する生成画像取得ステップと、ディ
ザ処理が施された第１のＫ色層の画像を取得する第１のＫ色層画像取得ステップと、前記
生成画像と、前記ディザ処理が施された第１のＫ色層の画像と、を電子的に重ね合わせる
電子重畳ステップと、を有する。
【図面の簡単な説明】
【０００８】
【図１】図１は、第１の実施形態に係る画像生成方法により生成された画像が印刷された記録媒体の一例を示す図である。
【図２】図２は、第１の実施形態に係る画像生成方法の処理の流れを示す図である。
【図３】図３は、第１の実施形態に係る画像生成方法により生成される生成画像の断面図である。
【図４】図４は、第２の実施形態に係る画像生成方法の処理の流れを示す図である。
【図５】図５は、第２の実施形態に係る画像検証方法の処理の流れを示す図である。
【図６】図６は、第２の実施形態に係る画像検証方法を説明するための図である。
【図７】図７は、第３の実施形態に係る画像生成方法の処理の流れを示す図である。
【図８】図８は、第３の実施形態に係る画像生成方法の処理の状態図である。
【図９】図９は、第３の実施形態に係る画像生成方法の基となる原画像を示す図である。
【図１０】図１０は、第３の実施形態に係る画像生成方法の処理段階毎の画像を示す図である。
【図１１】図１１は、第３の実施形態に係る画像生成方法により生成された画像を用いて、偽造・変造を試みた場合の画像を示す図である。
【図１２】図１２は、第３の実施形態に係る画像検証方法を説明するための図である。
【発明を実施するための形態】
【０００９】
以下、実施形態の画像生成方法及び画像検証方法を、図面を参照して説明する。
【００１０】
（第１の実施形態）
まず、図１を参照して、第１の実施形態に係る画像生成方法により生成された画像が印
刷された記録媒体について説明する。図１は、第１の実施形態に係る画像生成方法により
生成された画像が印刷された記録媒体の一例を示す図である。
【００１１】
図１の記録媒体は、所有者を識別するための身分証明書１である。この身分証明書１は
、生成画像２３と、文字情報２と、が印刷されている。生成画像２３は、後述する画像生
成方法によって生成される、所有者の顔画像である。この生成画像２３は、所有者を識別
するための識別番号Ｎが可視セキュリティ画像Ｖとして埋め込まれている。文字情報２は
、所有者を識別するための識別番号Ｎや、所有者の氏名等の記載である。なお、図１の例
においては、「１２３」が識別番号Ｎである。
【００１２】
第１の実施形態に係る画像生成方法による生成される生成画像２３は、身分証明書１の
他にも、免許証や、パスポート等、ハイブリッド方式の印刷方式が適用できる様々な記録
媒体に適用可能である。
【００１３】
次に、図２を参照して、第１の実施形態に係る画像生成方法について説明する。図２は
、第１の実施形態に係る画像生成方法の処理の流れを示す図である。
【００１４】
図１中の生成画像２３を生成する画像生成装置は、生成画像２３の基となる原画像であ
る、主画像Ａと可視セキュリティ画像Ｖとを取得する（ステップＳ１０１）。
【００１５】
主画像Ａは、赤（Ｒ）、緑（Ｇ）、青（Ｂ）から構成されるフルカラー画像である、人
の顔写真である。なお、主画像Ａは、フルカラー画像でなく、モノクロ画像であってもよ
い。
【００１６】
可視セキュリティ画像Ｖは、主画像Ａに埋め込む識別番号Ｎ等の所定の文字や図形を有
する画像である。可視セキュリティ画像Ｖは、後述する処理（ステップＳ１０４、Ｓ１０
５）により主画像Ａに埋め込むことで、生成画像２３に顔画像と識別番号Ｎとの２つの要
素を持たせ、主画像Ａのセキュリティ性を向上させる機能を実現するものである。
【００１７】
可視セキュリティ画像Ｖは、直交座標系の各格子点上で濃度が定義されたデジタル情報
として表現される。例えば、第１の実施形態においては、可視セキュリティ画像Ｖは、位
置情報と、その位置における可視セキュリティ画像Ｖの有無を表す１／０の情報と、を有
するモノクロ二値画像である。
【００１８】
可視セキュリティ画像Ｖは、「１２３」という識別番号Ｎのように、所定の文字や図形
を有する画像である。このため、ステップＳ１０１は、主画像Ａと識別番号Ｎとを取得す
る工程、及び取得した識別番号Ｎから可視セキュリティ画像Ｖを生成する工程、という２
工程に分割されてもよい。
【００１９】
続いて、画像生成装置は、取得した主画像Ａを、黒色である第１のＫ色層と、黒色であ
る第２のＫ色層と、シアン、マゼンタ、及びイエローを含むＣＭＹ色層と、に色分解する
（ステップＳ１０２）。
【００２０】
第１のＫ色層と第２のＫ色層とは、黒色を、所定の色層配分で２つの色層に分けたもの
である。なお、第１のＫ色層と第２のＫ色層とは、色層配分が合わせて１００％以上であ
るとよい。この要件を充足すると、後述する重畳処理の際の、見た目の不自然さが減少す
る。さらに、この要件を充足すると、後述する画像検証の際に、生成画像２３を第１の層
媒体の画像と第２の層媒体の画像とに分離しやすくなる。
【００２１】
なお、主画像Ａが、モノクロ画像の場合、ＣＭＹ色層は省略される。
【００２２】
次に、画像生成装置は、色分解された各色層に対し、ディザ処理を施す（ステップＳ１
０３）。ディザ処理とは、制限された色数でそれ以上の色調を疑似的に表現する処理のこ
とであり、例えば、誤差拡散法が適用される。誤差拡散法は、原画像と出力画像との濃度
誤差を最小とするように二値化を行うもので、階調性と解像度との両立性がよい。誤差拡
散法を用いると、後述する可視セキュリティ画像Ｖ箇所の位相差Δｙがより顕著となり、
可視セキュリティ画像Ｖが、より視認容易となる。
【００２３】
次に、画像生成装置は、ディザ処理が施された第１のＫ色層と可視セキュリティ画像Ｖ
を入力値として、第１の位相変調処理を施す（ステップＳ１０４）。同様にして、画像生
成装置は、ディザ処理が施された第２のＫ色層と可視セキュリティ画像Ｖを入力値として
、第２の位相変調処理を施す（ステップＳ１０５）。
【００２４】
ここで、位相変調処理について説明する。位相変調処理の式を、次の式（１）に示す。
【００２５】
式（１）
ｉｆ（可視セキュリティ画像Ｖ（ｉ，ｊ）＝０）  ｔｈｅｎ  画像（ｉ，ｊ）＝画像（ｉ
−０，ｊ）
ｉｆ（可視セキュリティ画像Ｖ（ｉ，ｊ）＝１）  ｔｈｅｎ  画像（ｉ，ｊ）＝画像（ｉ
−ｙ，ｊ）
ここで、ｉ，ｊ：位置座標
ｙ：位相変調量
第１の位相変調処理の位相変調量ｙをｙ１とした場合、第２の位相変調処理の位相変調
量ｙを、ｙ１とは異なるｙ２とする。すなわち、第１のＫ色層においては、可視セキュリ
ティ画像Ｖに対応するデジタル情報（可視セキュリティ画像Ｖ＝１）に対して位相変調量
ｙ１分の位相変調処理を施し（ステップＳ１０４）、第２のＫ色層においては、可視セキ
ュリティ画像Ｖに対応するデジタル情報（可視セキュリティ画像Ｖ＝１）に対して位相変
調量ｙ２分の位相変調処理を施す（ステップＳ１０５）。
【００２６】
なお、ステップＳ１０４とステップＳ１０５は、並行して行われる等同時に行われても
よいし、順番は問わず順次行われてもよい。
【００２７】
次に、画像生成装置は、第１の位相変調処理が施された第１のＫ色層を、第１の層媒体
に印刷する第１の印刷処理を施す（ステップＳ１０６）。第１の層媒体は、例えば、ポリ
カーボネートであり、レーザエングレービング記録方式により印刷される層媒体である。
【００２８】
また、画像生成装置は、ディザ処理が施されたＣＭＹ色層と、第２の位相変調処理が施
された第２のＫ色層とを、第２の層媒体に印刷する第２の印刷処理を施す（ステップＳ１
０７）。ここで、第２の層媒体は、例えば、少なくとも一方の面に、必要に応じて機能層
を介して吸水層及び接着層を積層して構成されるインクジェット記録用の中間転写媒体で
ある。吸水層は、変性ポリアルキレンオキサイドまたは変性ポリアルキレンオキサイドを
主成分とする混合物を用いる。接着層は、親水性の熱可塑性樹脂および前期熱可塑性樹脂
を含む混合物を用いる。第２の層媒体は、例えば、インクジェット記録方式により印刷さ
れる層媒体である。
【００２９】
なお、ステップＳ１０６とＳ１０７は、並行して行われる等同時に行われてもよいし、
順番は問わず順次行われてもよい。
【００３０】
最後に、画像生成装置は、第１の印刷処理が施された第１の層媒体と、第２の印刷処理
が施された第２の層媒体とを、図３に示すように重ね合わせる重畳処理を施す（ステップ
Ｓ１１０）。重ね合わせるとは、例えば、互いに接着させることである。例えば、第１の
層媒体の上に、第２の層媒体を重ね合わせる。
【００３１】
以上により、可視セキュリティ画像Ｖが含む「１２３」という識別情報等が埋め込まれ
た生成画像２３が生成される。
【００３２】
ここで、図３を参照して、第１の実施形態に係る画像生成方法により生成される生成画
像２３について説明する。図３は、第１の実施形態に係る画像生成方法により生成される
生成画像２３の断面図である。
【００３３】
第１の実施形態に係る画像生成方法により生成される生成画像２３は、第１のＫ色層が
印刷された第１の層媒体と、ＣＭＹ色層及び第２のＫ色層が印刷された第２の層媒体と、
が重ね合わせられて、生成される。例えば、第１の層媒体に印刷された第１のＫ色層の上
に、第２の層媒体に印刷されたＣＭＹ色層及び第２のＫ色層が接するように、物理的に接
着される。
【００３４】
よって、図３の断面図に示すように、第１の層媒体と、第１の層媒体上に印刷された第
１のＫ色層と、第２の層媒体上に印刷されたＣＭＹ色層及び第２のＫ色層と、第２の層媒
体と、が下層から順に並ぶ。
【００３５】
このように、第１の層媒体と第２の層媒体とを物理的に接着して得られた生成画像２３
は、第１の層媒体と第２の層媒体の双方に、生成画像２３を構成する色層が印刷されてい
るため、第１の層媒体を第２の層媒体から剥がして、当該第１の層媒体（又は第２の層媒
体）を他の層媒体と重ね合わせて再利用しようとしても、本来の生成画像２３を再現する
のは困難である。よって、生成画像２３の偽造・変造をより効果的に防止できる。さらに
、後述するように、第１の層媒体と第２の層媒体とを分離すると、可視セキュリティ画像
Ｖが不可視となるため、第三者にとって偽造・変造がしにくい。
【００３６】
以上、第１の実施形態に係る、可視セキュリティ画像Ｖを有する生成画像２３の画像生
成方法によれば、視認可能な識別番号Ｎ等の所定の文字や図形を主画像Ａに埋め込むこと
ができ、生成画像２３が顔画像と識別番号Ｎと、所有者を識別する要素を２つ有するため
、顔画像のみの場合よりもセキュリティ性が高くなる。さらに、第１の層媒体と第２の層
媒体を分離すると、可視セキュリティ画像Ｖが不可視となるため、第三者にとって偽造・
変造がしにくい。
【００３７】
（第２の実施形態）
次に、図４を参照して、第２の実施形態に係る画像生成方法について説明する。図４は
、第２の実施形態に係る画像生成方法の処理の流れを示す図である。
【００３８】
第２の実施形態は、生成される生成画像２３が、可視セキュリティ画像Ｖではなく、不
可視セキュリティ画像Ｉが含む「１２３」という識別情報等が埋め込まれた画像である点
で、第１の実施形態と異なる。
【００３９】
画像生成装置は、生成画像２３の基となる原画像である、主画像Ａと不可視セキュリテ
ィ画像Ｉとを取得する（ステップＳ２０１）。
【００４０】
不可視セキュリティ画像Ｉは、主画像Ａに埋め込む識別番号Ｎ等の所定の文字や図形を
有する画像である。不可視セキュリティ画像Ｉは、後述する手段（ステップＳ２０４、Ｓ
２０５）により主画像Ａに埋め込むことで、主画像Ａのセキュリティ性を向上させ、かつ
、生成される生成画像２３の真偽を検証する機能を実現するものである。
【００４１】
不可視セキュリティ画像Ｉは、直交座標系の各格子点上で濃度が定義されたデジタル情
報として表現される。例えば、第２の実施形態においては、不可視セキュリティ画像Ｉは
、位置情報と、その位置における不可視セキュリティ画像Ｉの有無を表す１／０の情報と
、を有するモノクロ二値画像である。
【００４２】
不可視セキュリティ画像Ｉは、「１２３」という識別番号Ｎのように、所定の文字や図
形を有する画像である。このため、ステップＳ２０１は、主画像Ａと識別番号Ｎとを取得
する工程、及び取得した識別番号Ｎから不可視セキュリティ画像Ｉを生成する工程、とい
う２工程に分割されてもよい。
【００４３】
続いて、画像生成装置は、取得した主画像Ａを、第１のＫ色層と、第２のＫ色層と、Ｃ
ＭＹ色層と、に色分解する（ステップＳ２０２）。なお、主画像Ａが、モノクロ画像の場
合、ＣＭＹ色層は省略される。
【００４４】
次に、画像生成装置は、色分解された各色層に対し、ディザ処理を施す（ステップＳ２
０３）。
【００４５】
次に、画像生成装置は、ディザ処理が施された第１のＫ色層と不可視セキュリティ画像
Ｉを入力値として、第３の位相変調処理を施す（ステップＳ２０４）。同様にして、画像
生成装置は、ディザ処理が施された第２のＫ色層と不可視セキュリティ画像Ｉを入力値と
して、第４の位相変調処理を施す（ステップＳ２０５）。
【００４６】
ここで、位相変調処理について説明する。位相変調処理の式を、次の式（２）に示す。
【００４７】
式（２）
ｉｆ（不可視セキュリティ画像Ｉ（ｉ，ｊ）＝０）  ｔｈｅｎ  画像（ｉ，ｊ）＝画像（
ｉ−０，ｊ）
ｉｆ（不可視セキュリティ画像Ｉ（ｉ，ｊ）＝１）  ｔｈｅｎ  画像（ｉ，ｊ）＝画像（
ｉ−ｙ，ｊ）
ここで、ｉ，ｊ：位置座標
ｙ：位相変調量
第３の位相変調処理の位相変調量ｙをｙ１とした場合、第４の位相変調処理の位相変調
量ｙは、ｙ１と同じ値とする。すなわち、第１のＫ色層においては、不可視セキュリティ
画像Ｉに対応するデジタル情報（不可視セキュリティ画像Ｉ＝１）に対して位相変調量ｙ
１分の位相変調処理を施し（ステップＳ２０４）、第２のＫ色層においては、不可視セキ
ュリティ画像Ｉに対応するデジタル情報（不可視セキュリティ画像Ｉ＝１）に対して位相
変調量ｙ１分の位相変調処理を施す（ステップＳ２０５）。
【００４８】
なお、ステップＳ２０４とＳ２０５は、並行して行われる等同時に行われてもよいし、
順番は問わず順次行われてもよい。
【００４９】
次に、画像生成装置は、第３の位相変調処理が施された第１のＫ色層を、第１の層媒体
に印刷する第３の印刷処理を施す（ステップＳ２０６）。
【００５０】
また、画像生成装置は、ディザ処理が施されたＣＭＹ色層と、第４の位相変調処理が施
された第２のＫ色層とを、第２の層媒体に印刷する第４の印刷処理を施す（ステップＳ２
０７）。
【００５１】
なお、ステップＳ２０６とＳ２０７は、並行して行われる等同時に行われてもよいし、
順番は問わず順次行われてもよい。
【００５２】
最後に、画像生成装置は、第３の印刷処理が施された第１の層媒体と、第４の印刷処理
が施された第２の層媒体とを、図３に示すように重ね合わせる重畳処理を施す（ステップ
Ｓ２１０）。例えば、第１の層媒体の上に、第２の層媒体を重ね合わせる。
【００５３】
以上により、不可視セキュリティ画像Ｉが含む「１２３」という識別情報等が埋め込ま
れた生成画像２３が生成される。第２の実施形態に係る画像生成方法により生成された生
成画像２３の断面図は、図３に示す断面図と同様である。
【００５４】
ここで、図５及び図６を参照して、第２の実施形態に係る画像生成方法により生成され
た画像の真偽を判定する画像検証方法について説明する。図５は、第２の実施形態に係る
画像検証方法の処理の流れを示す図である。図６は、第２の実施形態に係る画像検証方法
を説明するための図である。
【００５５】
画像検証を行う画像検証装置は、検証対象の生成画像２３を取得する（ステップＳ２１
１）。また、画像検証装置は、検証対象の生成画像２３の、色分解処理及びディザ処理が
施された第１のＫ色層を取得する（ステップＳ２１２）。
【００５６】
図６（ａ）は、検証に必要な画像２つを示す。左の画像は、検証対象の生成画像２３で
ある。右の画像は、検証対象の生成画像２３の、色分解処理及びディザ処理が施された第
１のＫ色層である。生成画像２３は、不可視セキュリティ画像Ｉが埋め込まれている。
【００５７】
なお、ステップＳ２１１とステップＳ２１２は、並行して行われる等同時に行われても
よいし、順番は問わず順次行われてもよい。
【００５８】
また、第１のＫ色層の画像は、例えば、当該生成画像２３が印刷されている記録媒体の
画像記憶部（図示せず）に保存されていて、それを取得してもよいし、身分証明書１の裏
面や、パスポートの別頁等に、検証画像２４として予め印刷されていて、それを取得して
もよい。原画像の主画像Ａが、当該生成画像２３が印刷されている記録媒体の画像記憶部
（図示せず）に保存されていて、画像検証を行う画像検証装置が、この保存されている主
画像Ａに対し色分解及びディザ処理を施すことで、第１のＫ色層の画像を作成することで
取得してもよい。この他にも、画像検証を行う画像検証装置が、赤外線を用いて第１の層
媒体（下層）を検出して第１のＫ色層の画像を取得してもよい。
【００５９】
続いて、画像検証装置は、ステップＳ２１１とステップＳ２１２とで取得した画像を、
それぞれ、電子的に重ね合わせる（ステップＳ２１３）。
【００６０】
このとき、生成画像２３単体では不可視であった不可視セキュリティ画像Ｉの識別番号
Ｎが、位相差Δｙ＝（ｙ１−０）＝ｙ１の発生により、可視となる。よって、不可視セキ
ュリティ画像Ｉの識別番号Ｎが可視となれば、検証された生成画像２３が、第２の実施形
態に係る画像生成方法により生成された生成画像２３であることが分かるため、画像検証
装置の操作者は、検証対象の生成画像２３が、本物であることを判定できる（ステップＳ
２１４、ステップＳ２１５）。
【００６１】
一方、不可視セキュリティ画像Ｉの識別番号Ｎが不可視のままであれば、画像検証装置
の操作者は、検証対象の生成画像２３が、偽物であることを判定できる（ステップＳ２１
４、ステップＳ２１６）。
【００６２】
図６（ｂ）は、図６（ａ）の画像２つを重ねた検証画像２４である。生成画像２３単体
では不可視であった不可視セキュリティ画像Ｉの識別番号Ｎが、位相差Δｙ＝（ｙ１−０
）＝ｙ１の発生により、可視となる。不可視セキュリティ画像Ｉの識別番号Ｎが可視とな
れば、検証された生成画像２３が、第２の実施形態に係る画像生成方法により生成された
生成画像２３であることが分かる。
【００６３】
以上、第２の実施形態に係る、不可視セキュリティ画像Ｉを有する生成画像２３の画像
生成方法によれば、生成画像２３が顔画像と識別番号Ｎと、所有者を識別する要素を２つ
有するため、顔画像のみの場合よりもセキュリティ性が高くなる。
【００６４】
また、不可視セキュリティ画像Ｉが含む識別番号Ｎ等は、画像検証方法の際、真偽の判
定に用いることができる。なお、画像検証方法は、容易な手順で行える。
【００６５】
（第３の実施形態）
次に、図７を参照して、第３の実施形態に係る画像生成方法について説明する。図７は
、第３の実施形態に係る画像生成方法の処理の流れを示す図である。
【００６６】
第３の実施形態は、生成される生成画像２３が、可視セキュリティ画像Ｖと不可視セキ
ュリティ画像Ｉの両方がそれぞれ含む「１２３」という識別情報等が埋め込まれた画像で
ある点で、第１の実施形態及び第２の実施形態と異なる。
【００６７】
画像生成装置は、生成画像２３の基となる原画像である、主画像Ａと可視セキュリティ
画像Ｖと不可視セキュリティ画像Ｉとを取得する（ステップＳ３０１）。
【００６８】
可視セキュリティ画像Ｖ及び不可視セキュリティ画像Ｉは、主画像Ａに埋め込む識別番
号Ｎ等の所定の文字や図形を有する画像である。可視セキュリティ画像Ｖ及び不可視セキ
ュリティ画像Ｉは、後述する手段（ステップＳ３０４乃至Ｓ３０７）により主画像Ａに埋
め込むことで、主画像Ａのセキュリティ性を向上させ、かつ、生成される生成画像２３の
真偽を検証する機能を実現するものである。
【００６９】
可視セキュリティ画像Ｖ及び不可視セキュリティ画像Ｉは、同じ識別番号Ｎ等、同じ文
字や図形を有する画像であることが望ましい。また、この識別番号Ｎ等は、画像の外枠に
対し重ならない位置でかつ可視セキュリティ画像Ｖと不可視セキュリティ画像Ｉとが互い
に異なる位置に配置されるようになっていることが望ましい。これは、例えば、第１の層
媒体と第２の層媒体とが、それぞれ同じ「１２３」という識別番号を有することが、後述
する画像検証方法により判明すれば、生成画像２３の真偽が判定しやすいためである。
【００７０】
ステップＳ２０１は、主画像Ａと識別番号Ｎとを取得する工程、及び取得した識別番号
Ｎから可視セキュリティ画像Ｖと不可視セキュリティ画像Ｉを生成する工程、という３工
程に分割されてもよい。
【００７１】
続いて、画像生成装置は、取得した主画像Ａを、第１のＫ色層と、第２のＫ色層と、Ｃ
ＭＹ色層と、に色分解する（ステップＳ３０２）。
【００７２】
次に、画像生成装置は、色分解された３つの各色層に対し、ディザ処理を施す（ステッ
プＳ３０３）。
【００７３】
次に、画像生成装置は、ディザ処理が施された第１のＫ色層と可視セキュリティ画像Ｖ
を入力値として、第１の位相変調処理を施す（ステップＳ３０４）。同様にして、画像生
成装置は、ディザ処理が施された第２のＫ色層と可視セキュリティ画像Ｖを入力値として
、第２の位相変調処理を施す（ステップＳ３０５）。
【００７４】
また、画像生成装置は、ディザ処理が施された第１のＫ色層と不可視セキュリティ画像
Ｉを入力値として、第３の位相変調処理を施す（ステップＳ３０６）。同様にして、画像
生成装置は、ディザ処理が施された第２のＫ色層と不可視セキュリティ画像Ｉを入力値と
して、第４の位相変調処理を施す（ステップＳ３０７）。
【００７５】
ここで、第１及び第２の位相変調処理は、式（１）に従う。また、第３及び第４の位相
変調処理は、式（２）に従う。
【００７６】
なお、ステップＳ３０４乃至Ｓ３０７は、並行して行われる等同時に行われてもよいし
、順番は問わず順次行われてもよい。
【００７７】
次に、画像生成装置は、第１及び第３の位相変調処理が施された第１のＫ色層を、第１
の層媒体に印刷する第５の印刷処理を施す（ステップＳ３０８）。
【００７８】
また、画像生成装置は、ディザ処理が施されたＣＭＹ色層と、第３及び第４の位相変調
処理が施された第２のＫ色層とを、第２の層媒体に印刷する第６の印刷処理を施す（ステ
ップＳ３０９）。
【００７９】
なお、ステップＳ３０８とＳ３０９は、並行して行われる等同時に行われてもよいし、
順番は問わず順次行われてもよい。
【００８０】
最後に、画像生成装置は、第５の印刷処理が施された第１の層媒体と、第６の印刷処理
が施された第２の層媒体とを、重ね合わせる重畳処理を施す（ステップＳ３１０）。例え
ば、第１の層媒体の上に、第２の層媒体を重ね合わせる。
【００８１】
以上により、可視セキュリティ画像Ｖ及び不可視セキュリティ画像Ｉがそれぞれ含む「
１２３」という識別情報等が埋め込まれた生成画像２３が生成される。
【００８２】
次に、図８乃至図１０を参照して、第３の実施形態に係る画像生成方法の各ステップ毎
の画像について説明する。図８は、第３の実施形態に係る画像生成方法の処理の状態図で
ある。図９は、第３の実施形態に係る画像生成方法の基となる原画像を示す図である。図
１０は、第３の実施形態に係る画像生成方法の処理段階毎の画像を示す図である。
【００８３】
まず、図８及び図９に示すように、生成画像２３の基となる原画像は、主画像Ａと可視
セキュリティ画像Ｖと不可視セキュリティ画像Ｉの３つである。図９は、左から順に、主
画像Ａ（状態１１）、可視セキュリティ画像Ｖ（状態１２）、不可視セキュリティ画像Ｉ
（状態１３）、を示す。
【００８４】
主画像Ａは、赤（Ｒ）、緑（Ｇ）、青（Ｂ）から構成されるフルカラー画像であり、色
分解処理（ステップＳ３０２）によって、シアン（Ｃ）、マゼンダ（Ｍ）、イエロー（Ｙ
）、ブラック（Ｋ）に色分解可能である。本実施形態においては、Ｃ、Ｍ、Ｙから構成さ
れるＣＭＹ層と、Ｋ層を二つに色層配分した第１のＫ色層と、第２のＫ色層と、に色分解
する。主画像Ａは、生成画像２３が記録される記録媒体の所有者の顔写真である。
【００８５】
なお、主画像Ａが、モノクロ画像である場合は、色分解処理（ステップＳ１０２、Ｓ２
０２、Ｓ３０２）においては、ＣＭＹ色層は形成されず、第１のＫ色層と第２のＫ色層の
みに色分解される。
【００８６】
可視セキュリティ画像Ｖは、主画像Ａのセキュリティ性を向上させるために、主画像Ａ
に埋め込む識別番号Ｎ等の所定の文字や図形を有する画像である。可視セキュリティ画像
Ｖは、位置情報と、その位置における可視セキュリティ画像Ｖの有無を表す１／０の情報
と、を有するモノクロ二値画像である。この例では、「１２３」という識別番号Ｎが、画
像外枠に対して下方に位置する。
【００８７】
不可視セキュリティ画像Ｉは、主画像Ａのセキュリティ性を向上させ、かつ、生成され
た生成画像２３の真偽を検証する際のために、主画像Ａに埋め込む識別番号Ｎ等の所定の
文字や図形を有する画像である。不可視セキュリティ画像Ｉも、位置情報と、その位置に
おける不可視セキュリティ画像Ｉの有無を表す１／０の情報と、を有するモノクロ二値画
像である。
【００８８】
この例では、「１２３」という識別番号Ｎが、画像外枠に対して上方に位置する。不可
視セキュリティ画像Ｉは、検証をより容易にするために、可視セキュリティ画像Ｖと同じ
文字や図形を、可視セキュリティ画像Ｖの文字や図形とは異なる位置に有する画像である
と望ましい。
【００８９】
次に、図８及び図１０（ａ）に示すように、図９に示した主画像Ａに、色分解処理及び
ディザ処理が施されることで得られる出力画像３つが、図１０（ａ）において、左から順
に、第１のＫ色層（状態１４）、第２のＫ色層（状態１５）、ＣＭＹ色層（状態１６）、
である。
【００９０】
次に、図８及び図１０（ｂ）に示すように、図１０（ａ）に示した第１のＫ色層及び第
２のＫ色層に、それぞれ位相変調処理が施されることで得られる出力画像２つが、図１０
（ｂ）において、左から順に、第１のＫ色層（状態１９）と、第２のＫ色層（状態２０）
である。
【００９１】
第１のＫ色層においては、可視セキュリティ画像Ｖに対応するデジタル情報に対して第
１の位相変調処理が施され、不可視セキュリティ画像Ｉに対応するデジタル情報に対して
第３の位相変調処理が施される（状態１９）。第２のＫ色層においては、可視セキュリテ
ィ画像Ｖに対応するデジタル情報に対して第２の位相変調処理が施され、不可視セキュリ
ティ画像Ｉに対応するデジタル情報に対して第４の位相変調処理が施される（状態２０）
。
【００９２】
この時点では、第１のＫ色層及び第２のＫ色層に、可視セキュリティ画像Ｖ及び不可視
セキュリティ画像Ｉは表示されない。なお、実際に表示はされないが、可視セキュリティ
画像Ｖの識別番号Ｎは、それぞれの画像外枠に対して下方に位置する破線で示した枠内に
ある。同様に、不可視セキュリティ画像Ｉの識別番号Ｎは、それぞれの画像外枠に対して
上方に位置する破線で示した枠内にある。
【００９３】
次に、図８及び図１０（ｃ）を用いて、図１０（ａ）に示したＣＭＹ色層（状態１６）
と、図１０（ｂ）に示した第１のＫ色層（状態１９）と、第２のＫ色層（状態２０）とを
、印刷した層媒体を示す画像を示す。図１０（ｃ）の左の画像は、第１及び第３の位相変
調処理が施された第１のＫ色層を印刷した第１の層媒体を示す（状態２１）。右の画像は
、ディザ処理が施されたＣＭＹ色層と、第２及び第４の位相変調処理が施された第２のＫ
色層とを印刷した第２の層媒体を示す（状態２２）。
【００９４】
この時点でも、第１の層媒体及び第２の層媒体に、可視セキュリティ画像Ｖ及び不可視
セキュリティ画像Ｉは表示されない。なお、実際に表示はされないが、可視セキュリティ
画像Ｖの識別番号Ｎは、それぞれの画像外枠に対して下方に位置する破線で示した枠内に
ある。同様に、不可視セキュリティ画像Ｉの識別番号Ｎは、それぞれの画像外枠に対して
上方に位置する破線で示した枠内にある。
【００９５】
最後に、図８及び図１０（ｄ）に示すように、図１０（ｃ）に示した第１の層媒体（状
態２１）と、第２の層媒体（状態２２）と、を物理的に接着して重ねる重畳処理を施し、
最終的に得られる生成画像２３である（状態２３）。
【００９６】
この最終形態（状態２３）の時点で、可視セキュリティ画像Ｖの識別番号Ｎは、位相差
Δｙ＝（ｙ１−ｙ２）≠０のため、第１層の画像と第２層の画像が位相差分だけずれて見
え、可視となる。不可視セキュリティ画像Ｉの識別番号Ｎは、位相差Δｙ＝（ｙ１−ｙ１
）＝０のため、第１層の画像と第２層の画像が完全に重なり合い、不可視となる。
【００９７】
なお、生成画像２３の、識別番号Ｎ以外の領域（主画像Ａ由来の領域）は、位相変調処
理が施されておらず位相差Δｙ＝（０−０）＝０のため、第１の層媒体に印刷されている
色と第２の層媒体に印刷されている色が完全に重なり合うだけである。
【００９８】
なお、（ｙ１−ｙ２）の位相差Δｙは、第１層の画像と第２層の画像が位相差分だけず
れて見えるため、絶対値が大きいほど可視セキュリティ画像Ｖは視認容易となる。
【００９９】
ここで、図１１を参照して、第３の実施形態に係る画像生成方法により生成された生成
画像２３によって得られる偽造・変造防止効果について説明する。図１１は、第３の実施
形態に係る画像生成方法により生成された画像を用いて、偽造・変造を試みた場合の画像
を示す図である。
【０１００】
生成画像２３ａに対し、第三者が偽造・変造を試みて、第１の層媒体（下層）と第２の
層媒体（上層）とを物理的に剥離した場合、状態２１ａと状態２２ａの画像が得られる。
このとき、可視であった可視セキュリティ画像Ｖの識別番号Ｎが、第１の層媒体と第２の
層媒体の両方において不可視となる。不可視セキュリティ画像Ｉの識別番号Ｎは、不可視
のままである。
【０１０１】
ここで、第三者が、主画像Ａの顔写真は同じだが埋め込まれている識別番号Ｎが異なる
他の生成画像２３ｂを入手し、第１の層媒体（下層）と第２の層媒体（上層）とを物理的
に剥離した場合、状態２１ｂと状態２２ｂの画像が得られる。
【０１０２】
状態２１ａの画像（第１の層媒体）と状態２２ｂの画像（第２の層媒体）を組み合わせ
て重ねると、状態２３ｃの画像が得られる。しかし、画像外枠に対して下方に、可視状態
で表示されるべき可視セキュリティ画像Ｖの識別番号Ｎが表示されない。
【０１０３】
同様に、状態２１ｂの画像（第１の層媒体）と状態２２ａの画像（第２の層媒体）を組
み合わせて重ねると、状態２３ｄの画像が得られる。しかし、画像外枠に対して下方に、
可視状態で表示されるべき可視セキュリティ画像Ｖの識別番号Ｎが表示されない。
【０１０４】
このように、埋め込まれた識別番号Ｎを有する可視セキュリティ画像Ｖ（と不可視セキ
ュリティ画像Ｉ）を考慮せずに顔写真を再利用しようとしても識別番号Ｎが表示されない
ため、偽造・変造された画像であることが分かる状態となる。
【０１０５】
可視セキュリティ画像Ｖを含む、第１の実施形態に係る画像生成方法においても、同様
である。このため、第１又は第３の実施形態に係る画像生成方法によれば、偽造・変造の
抑止効果がある。
【０１０６】
図１２を参照して、第３の実施形態に係る画像生成方法により生成された画像の真偽を
判定する画像検証方法について説明する。図１２は、第３の実施形態に係る画像検証方法
を説明するための図である。
【０１０７】
図１２（ａ）は、検証に必要な画像２つを示す。左の画像は、検証対象の生成画像２３
（図８中の状態２３）である。右の画像は、検証対象の生成画像２３の、色分解処理及び
ディザ処理が施された第１のＫ色層（図８中の状態１４）である。
【０１０８】
この状態１４の画像は、例えば、当該生成画像２３が印刷されている記録媒体の画像記
憶部（図示せず）に保存されていてもよいし、身分証明書１の裏面や、パスポートの別頁
等に、検証画像２４として予め印刷されておいてもよい。原画像の主画像Ａが、当該生成
画像２３が印刷されている記録媒体の画像記憶部（図示せず）に保存されており、画像検
証を行う画像検証装置が、この保存されている主画像Ａに対し色分解及びディザ処理を施
すことで、状態１４の画像を作成してもよい。この他にも、画像検証を行う画像検証装置
が、赤外線を用いて第１の層媒体（下層）を検出して状態１４の画像を取得してもよい。
【０１０９】
図１２（ｂ）は、図１２（ａ）の画像２つを重ねた検証画像２４である。生成画像２３
単体では不可視であった不可視セキュリティ画像Ｉの識別番号Ｎが、位相差Δｙの発生に
より、可視となる。不可視セキュリティ画像Ｉの識別番号Ｎが可視となれば、検証された
生成画像２３が、第３の実施形態に係る画像生成方法により生成された生成画像２３であ
ることが分かる。さらに、出現した不可視セキュリティ画像Ｉの識別番号Ｎが、可視セキ
ュリティ画像Ｖの識別番号Ｎと同じであれば、偽造・変造されていない、真の生成画像２
３であることが分かる。
【０１１０】
このように、不可視セキュリティ画像Ｉの識別番号Ｎが埋め込まれた生成画像２３であ
れば、検証が容易に行える。
【０１１１】
以上、第３の実施形態によれば、第１の実施形態及び第２の実施形態に係る生成画像２
３の画像生成方法及び画像検証方法により得られる効果が最も発揮されやすい。すなわち
、高いセキュリティ性を有し、かつ、検証を容易に行える。
【０１１２】
以上、第１の実施形態に係る、可視セキュリティ画像Ｖを有する生成画像２３の画像生
成方法によれば、視認可能な識別番号Ｎ等の所定の文字や図形を主画像Ａに埋め込むこと
ができ、セキュリティ性を向上させることができる。埋め込まれた識別番号Ｎ等の所定の
文字や図形は視認可能なため、身分証明書１やパスポート等の記録媒体の（簡易的な）真
偽判定が、特殊な装置等を用いることなくすぐ行える。さらに、第１の層媒体と第２の層
媒体を分離すると、可視セキュリティ画像Ｖが不可視となるため、第三者にとって偽造・
変造がしにくい。
【０１１３】
また、第２の実施形態に係る、不可視セキュリティ画像Ｉを有する生成画像２３の画像
生成方法によれば、識別番号Ｎ等の所定の文字や図形を不可視情報として埋め込んでおく
ことができ、セキュリティ性を向上させることができる。第２の実施形態に係る、不可視
セキュリティ画像Ｉを有する生成画像２３の画像検証方法によれば、この不可視セキュリ
ティ画像Ｉの所定の文字や図形が可視となるか否かで、画像の真偽を検証できる。
【０１１４】
第３の実施形態に係る可視セキュリティ画像Ｖ及び不可視セキュリティ画像Ｉの両方を
有する生成画像２３の画像生成方法によれば、第１及び第２の実施形態に係る発明の効果
がすべて表れる。
【０１１５】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【０１１６】
１…身分証明書
２…文字情報
１１（Ａ）…主画像
１２（Ｖ）…可視セキュリティ画像
１３（Ｉ）…不可視セキュリティ画像
Ｎ…識別番号
１４…ディザ処理後の第１のＫ色層
２３…生成画像
２４…検証画像
【図１】
2016221825.tif 000003
【図２】
2016221825.tif 000004
【図３】
2016221825.tif 000005
【図４】
2016221825.tif 000006
【図５】
2016221825.tif 000007
【図６】
2016221825.tif 000008
【図７】
2016221825.tif 000009
【図８】
2016221825.tif 000010
【図９】
2016221825.tif 000011
【図１０】
2016221825.tif 000012
【図１１】
2016221825.tif 000013
【図１２】
2016221825.tif 000014